(57)【要約】【課題】一定の電子ブレーカの定格を、電子制御器およびそれに付随した電子ブレーカ定格設定スイッチの選択により、自動設定する。【解決手段】電子制御器１４は、電子ブレーカの複数の定格を格納する内蔵メモリー１０と電子ブレーカ定格を選択する電子ブレーカ定格設定スイッチ８と電子ブレーカ定格設定スイッチおよび内蔵メモリー１０に的確に作用可能に結合されたマイクロプロセッサ２を備える。マイクロプロセッサ２は、電子ブレーカ定格設定スイッチ８により選択された電子ブレーカ定格設定値を、内蔵メモリー１０の格納のために送信する。【選択図】図１
2013089589.tif 000002
【特許請求の範囲】
【請求項１】
電子ブレーカ定格設定を行う電子ブレーカ用の電子制御器１４であって、電子ブレーカ定格を格納する内蔵メモリー１０と、前記内蔵メモリー１０に格納された前記電子ブレーカ定格を選択する電子ブレーカ定格設定スイッチ８と、前記電子ブレーカ定格設定スイッチ８及び前記内蔵メモリー１０に適切に作用可能に結合されたマイクロプロセッサ２を備え、前記マイクロプロセッサ２は、前記電子ブレーカ定格設定スイッチ８により設定された前記電子ブレーカ定格内の定格を解釈し、前記選択された電子ブレーカ定格を、前記内蔵メモリー１０での格納のために前記内蔵メモリー１０へ送信する電子制御器１４。
【請求項２】
更に、前記マイクロプロセッサ２に内蔵され、前記電子ブレーカにより制御される負荷電流から導出された電流レベル示度を提供するＡＤＣ１１を備える、請求項１記載の電子制御器１４。
【請求項３】
前記電子ブレーカ定格設定スイッチ８は、前記電子ブレーカ定格内の一組の所定定格の手動選択用スイッチバンクである、請求項１または２のいずれかに記載の電子制御器１４。
【発明の詳細な説明】
【技術分野】
【０００１】  本発明の実施形態は、３相３線式、３相４線式、１相３線式に用いられるブレーカに関し、その電子ブレーカ定格設定値を電子ブレーカ定格設定スイッチの切り替えによって、設定できることに関するものである。
【背景技術】
【０００２】  従来、電子ブレーカは電流検知回路内に設定された電流値で、ブレーカ動作させ電路を遮断するものであるが、その設定方法は、一つの用途に合わせた一つの電子ブレーカ定格に適合したソフトウエアを、電流検出回路内のマイクロプロセッサ２に個別に組み込むものであった。【０００３】  本発明は、個別の前記のソフトウエアでなく、予め複数の用途に合わせた複数の電子ブレーカ定格を判別するソフトウエアをマイクロプロセッサ内へ組み込み、定格種別を、電流検出回路内の電子ブレーカ定格設定スイッチである、ＤＩＰスイッチ、ロータリースイッチ、回路ジャンパーピン等を使用して、選択するだけで、複数の電子ブレーカ定格の用途に適用できるように考案したものである。
【発明の概要】
【発明が解決しようとする課題】
【０００４】  前記のように、従来の電子ブレーカの定格電流の設定方法は、電流検出回路内に組み込むソフトウエアが、定格設定電流値ごとに違ったものを製作・インストールしており、簡単な操作で、複数の用途の定格設定電流の電子ブレーカに変換できなかった。それにより、製造メーカーにおいては、複数の用途ごとに電子ブレーカを一定水準の在庫として保有せざるを得なかった。【０００５】  本発明は、前項の問題を解決しようとするものである。
【課題を解決するための手段】
【０００６】  そこで本発明は、一つのソフトウエアに、複数の用途の定格電流設定値を予め組み込んでおき、そのブレーカ定格電流値設定を、電流検出回路内に設置した電子ブレーカ定格設定スイッチ（ＤＩＰスイッチ、ロータリースイッチ、ジャンパーピン）などによって選択し、一つの用途の電流設定値を固定する。
【発明の効果】
【０００７】  各ブレーカの電流値設定を、複数の用途の定格電流設定値を予め組み込んでおいた単一のソフトウエアから電流検出回路内に設定した電子ブレーカ定格設定スイッチで選別することによって、定格電流設定値の違うブレーカを需要に応じて、簡単に変更ができるので、複数の定格電流値が相違するブレーカ毎に別々に製造し、定格電流設定値の相違するブレーカ毎に別々に在庫を保有する必要がなくなった。【０００８】  従来の定格電流値が設定されたブレーカは、一つの用途の定格設定値に合致する一つのソフトウエアを組みこんでいたが、ブレーカに表示された設定値とは合致しないソフトウエアを組み込んだ場合、設定値を修整したり、ソフトウエアの再インストール作業をせざるを得なかった。この発明により、複数の定格電流値が相違するブレーカに対して、複数の用途の定格電流設定値を予め組み込むので、電子ブレーカ定格設定スイッチにより、複数の用途の定格設定値を選択できるようになる。その結果、電子ブレーカの定格設定値を、容易に変更が出来るようになる。更に、前述の表示の修整またはソフトウエアの再インストール作業を回避できるようになる。【０００９】  本発明では、装置性能テスト前に、電流検出回路内のスイッチ設定が定格電流値に設定されたブレーカかどうかのテストが必要となるが、電流値設定リストなどを予め作成しておき、リストに基づいたスイッチ設定によって、簡単に電流値ブレーカを製作できる。
【図面の簡単な説明】
【０００１０】
【図１】本発明の電子ブレーカ内部ブロック図
【発明を実施するための形態】
【００１１】  ここでは詳細な説明のために実施形態を開示するが、本明細書で開示した具体的な機能の詳細は、実施形態例を説明することを目的とした代表的なものである。したがって、実施形態例は、別の形態において実施し得るもので、本明細書で述べた実施形態のみに限定されるものではない。
【００１２】  したがい、実施形態例は様々な変更事例及び別の形態にすることができるが、その内の実施形態を図面に一例として示し、本明細書において説明する。しかし、実施形態例は特定の形態に限定されるものではなく、逆に、実施形態例は、当該事例の範囲に包含される全ての変更された事例、それと同等な物、及びその代替物を含むものである。本明細書において、「および／または」という用語及び「／」の記号は、関連する一つ以上の列挙項目のあらゆる組み合わせを含む。
【００１３】  以下、本発明の実施形態例を詳細に説明する。
図１は、本発明の実施形態例による電子ブレーカのブロック図である。電子制御器１４は、電子ブレーカに含まれ、本明細書で説明した電子ブレーカ定格設定を可能にし得る。電子ブレーカは、図１の電子制御器１４とブレーカ１３より構成され、回路の障害により発生する損傷から電子機器を保護する電子デバイスである。電子ブレーカは、負荷への導電経路を開閉するための動作機構を含む。機構は、機械式スイッチ又は固体素子にしてよいが、他の代替物も利用可能である。動作機構は、電子トリップユニット、或いは少なくとも、導電、経路上の電流状態を検出可能な電子検出ユニットと通信状態にある。電子トリップユニットは、導電経路上の電流状態に応答可能であり、電流状態に基づいて、動作機構に導電経路の開閉を指示し得る。例えば、過電流状態中、又は過電流状態に応答して、電子トリップユニットは、動作機構に導電経路を開くように指示し、これにより、負荷への電流の流れを停止又は制限し得る。例えば、電子トリップユニットは、上述の電子制御器１４を含んでよく、或いは、電子制御器１４は、電子ブレーカに別個に含まれてもよい。以下、図１を参照して、電子制御器１４の作動部品を更に詳細に説明する。
【００１４】  図１に示したように、電子制御器１４は、電子ブレーカ定格設定スイッチ８を含む。電子ブレーカ定格設定スイッチ８は、ノブ又は軸の回転により希望の電子ブレーカの定格を入力するための回転式スイッチにしてよく、或いは、複数の異なる設定を備えたスイッチバンクにしてよい。本明細書での使用において、電子ブレーカの希望の定格とは、設置に使用されたケーブルサイズに応じた回路のフル（１００％）アンペア定格を示す。例えば、回転式スイッチにより、メーカーは、利用可能な電子ブレーカ定格の指定値に基づいて、定格を選択可能となり得る。スイッチバンクは、利用可能な定格の所定又は希望のセットを含む。こうした例は、電子ブレーカに利用可能なアンペア数に基づいて定格を変更させるためのスイッチを含み得る。
【００１５】  更に、図１にはマイクロプロセッサ２が図示される。マイクロプロセッサ２は、電子ブレーカ定格設定スイッチ８に適切に作用可能に結合されているため、電子ブレーカ定格設定スイッチ８の設定を解釈し得る。例えば、ユーザが電子ブレーカ定格設定スイッチ８における選択を転換又は変更すると、マイクロプロセッサは、この状態変化を検出し、新たな電子ブレーカ定格の選択を読み取り得る。
【００１６】  電子制御器１４の三相の実施例を説明してきたが、単相又は直流の実施例も実施形態例に応用できることに留意されたい。
【００１７】  マイクロプロセッサ２は、電子ブレーカ定格設定スイッチ８において入力された設定を解釈し得るため、電子制御器１４の定格を変更する際に、こうした設定を更に使用し得る。例えば、内蔵メモリー１０は、マイクロプロセッサ２に適切に作用可能に結合される。これにより、マイクロプロセッサ２は、電子制御器１４の動作において使用する、電子ブレーカ定格設定スイッチ８において入力された新たな設定を格納し得る。
【００１８】  更に図１では、内部Ａ／Ｄ  ＣＯＮＶＥＲＴＥＲ（以下「ＡＤＣ１１」という。）（アナログ−デジタル変換器）を図示している。ＡＤＣ１１は、マイクロプロセッサ２に内蔵されている。ＡＤＣ１１は、電子制御器１４に接続された電流検出回路より導出された電流を感知し、感知した電流に基づく情報を、マイクロプロセッサ２内で演算処理する。
【００１９】  演算処理により導出された電流が、電子制御器１４を含む電子ブレーカの閾値を上回る場合、マイクロプロセッサ２は、電子ブレーカがトリップするようにトリップ信号９を送信し得る。また、トリップ信号９がマイクロプロセッサ２より発せられても、トリップ信号９に異常が生じた場合は、トリップしない場合もありうるので、この時は、マイクロプロセッサ異常としてマイクロプロセッサの異常検出回路１２が動作し、ブザーなどで知らしめる。
【００２０】  したがって、上記のように、本発明の実施形態は、電子ブレーカ定格設定を行う電子ブレーカの電子制御器１４を含む。電子制御器１４は、電子ブレーカ定格を格納する内蔵メモリー１０と、電子ブレーカ定格を選択する電子ブレーカ定格設定スイッチ８と、電子ブレーカ定格設定スイッチ及び内蔵メモリーに適切に作用可能に結合されたマイクロプロセッサと２を含む。マイクロプロセッサ２は、電子ブレーカ定格設定スイッチ８の選択された電子ブレーカの定格を解釈し、選択された電子ブレーカ定格に基づいて、選択された電子ブレーカ定格を内蔵メモリー１０に格納する。この場合、ＡＤＣ１１の増幅利得などを調整・変更することなく、電子ブレーカ定格設定スイッチに読み込まれたメモリ格納値に基づいて、直接マイクロプロセッサ２が処理演算を行いトリップ信号９を発生する。
【００２１】  更に、図１では、外部リレー出力５を図示している。外部リレー出力５は、ＡＤＣ１１の増幅利得などを調整・変更することなく、電子ブレーカ定格設定スイッチ８に読み込まれたメモリ格納値に基づいて、直接マイクロプロセッサ２が処理演算を行うが、外部リレー出力５は、この演算処理を外部に表示する形式で、現在の過電流状態をリレー回路を動作させて表示するものである。
【００２２】  更に、図１では、ＬＥＤ回路６およびリセットスイッチ＆ブザー７を図示している。これは、現在の過電流状態をＬＥＤにて表示するもので、事前の電子ブレーカの遮断動作警報となる。また、リセットスイッチは、電子ブレーカを次に投入・復帰させる場合に必要な電子回路のリセットを実施するものである。
【符号の説明】
【００２３】  １  電流検出回路の電源
２  マイクロプロセッサ
３  電流検出位置
４  電流検出回路
５  リレードライブ回路および外部リレー出力端子
６  ＬＥＤ回路
７  リセットスイッチ＆ブザー回路
８  電子ブレーカ定格設定スイッチ
９  遮断（ＴＲＩＰ）信号
１０  内蔵メモリー
１１  内部Ａ／Ｄ  ＣＯＮＶＥＲＴＥＲ（“ＡＤＣ”）（アナログ−デジタル変換器）
１２  異常検出回路
１３  ブレーカ
１４  電子制御器
【図１】
2013089589.tif 000003